(57)【特許請求の範囲】
【請求項１】
縁に立ち上がり部が立設され且つ縁よりも内側にボスが設けられた天井パネルと、水平方向の寸法調整が実施されて縁にリブ状の立ち上がり部が露出した短尺パネルとを並列させ、前記立ち上がり部と前記リブ状の立ち上がり部とを固定してなる天井パネルの連結構造において、水平方向に突出した当止鍔片と切り欠き部とを有する断面コ字状の補強部材と、少なくとも２つの水平片部を有する略Ｚ字状の面段差解消部材とを備えており、前記補強部材をリブ状の立ち上がり部に被せて挟持し、当止鍔片に立ち上がり部の上部を当止させ、リブ状の立ち上がり部と補強部材と立ち上がり部とを係合部材で係合させ、面段差解消部材の一方の水平片部を補強部材に設けられた切り欠き部に嵌め、他方の水平片部に挿通された係合部材を前記ボスに係合させ、ボスが面段差解消部材の他方の水平片部に当接するまで係合部材を締め付けて、立ち上がり部を面段差解消部材の一方の水平片部に当接するまで上昇させたことを特徴とする天井パネルの連結構造。
【発明の詳細な説明】
【技術分野】
【０００１】
本発明は、天井パネルの連結構造に関し、さらに詳細には、寸法調整が実施された天井パネルを用いた場合にでも、天井パネル同士の面段差を容易に解消可能な天井パネルの連結構造に関する。
【背景技術】
【０００２】
浴室等に設置されるバスユニットの天井パネルは、天吊り式のパネルを複数組み合わせる構成のものが多い。図３（ａ）に示すように、鉄筋コンクリート造りの住宅の天井１００には、天井パネル５０，６０が天吊り金具９０で吊り下げられている。天吊り金具９０は、それぞれ天井パネル５０，６０に設けられたボス５２，６２に係合している。天井パネル５０，６０の縁に設けられた立ち上がり部５１，６１同士は、図示しないネジで結合されている。
【０００３】
天井１００は、コンクリートで形成されていることから、表面が凸凹していることがあり、平坦度は低い。そのため、図３（ｂ）に示すように、隣接する天井パネル５０，６０に面段差Ｙ（表面の段差）が生じることがある。
【０００４】
特許文献１には、隣接する天井パネル同士に生じた面段差を解消可能な天井パネルの連結構造が開示されている。
【０００５】
特許文献１の天井パネルの連結構造では、面段差解消金具を用いることで天井パネル同士を面一にすることが開示されている。図３（ｂ）を用いて説明すると、Ｚ字状の面段差解消金具８０の水平片部８１は天吊り金具（図示せず）に連結されており、この水平片部８１を、高い方の天井パネル６０の立ち上がり部６１に当接させる。そして、面段差解消金具８０の水平片部８２にネジ８５を挿通し、低い方の天井パネル５０のボス５２に係合させる。すると、図３（ｃ）に示すように、低い方の天井パネル５０は、ネジ８５の締め付け力によって、ボス５２が水平片部８２に当接するまで上昇する。ボス５２の上昇に伴って、低い方の天井パネル５０の立ち上がり部５１も、水平片部８１に当接するまで上昇する。このようにして、立ち上がり部５１，６１同士の高さを揃えることにより、天井パネル５０，６０同士の面段差Ｙが解消される。
【先行技術文献】
【特許文献】
【０００６】
【特許文献１】特開２００５−１７９９５５号公報
【発明の概要】
【発明が解決しようとする課題】
【０００７】
ところが、特許文献１に開示された天井パネルの連結構造では、低い方の天井パネル５０がボス５１を有している場合にのみ、天井パネル５０，６０同士を面一にすることが可能である。換言すれば、低い方の天井パネル５０がボス５１を有していない場合には、天井パネル５０，６０同士を面一にすることは出来ない。例えば、天井パネル５０を設置する浴室の寸法が、標準化された汎用パネルである天井パネル５０の寸法と相違する場合、天井パネル５０を切断して寸法調整する必要がある。この時、天井パネル５０は、天井パネル５０に複数設けられたリブ状の立ち上がり部５３の位置で切断される。
【０００８】
しかし、リブ状の立ち上がり部５３はボス５２を有していないため、切断された天井パネル５０側が低くなってしまうと、天井パネル５０，６０における面段差を解消することができない。また、リブ状の立ち上がり部５３は非常に薄く、隣接する立ち上がり部６１と結合する際に、ネジで締め過ぎると割れてしまう恐れがある。これらの対策として、リブ状の立ち上がり部５３を厚くし、ボス５２をリブ状の立ち上がり部５３にも複数箇所に設けることが考えられる。しかし、前記対策は、製品単価の上昇につながるため、安易に行うことは出来ない。さらに、天井パネルを切断する頻度から考慮すると、前記対策を行うことは現実的ではない。
【０００９】
そこで、本発明は、天井パネルの寸法調整を実施した場合でも、面段差を解消可能な天井パネルの連結構造の提供を目的とする。
【課題を解決するための手段】
【００１０】
上記課題を解決するための請求項１に記載の発明は、縁に立ち上がり部が立設され且つ縁よりも内側にボスが設けられた天井パネルと、水平方向の寸法調整が実施されて縁にリブ状の立ち上がり部が露出した短尺パネルとを並列させ、前記立ち上がり部と前記リブ状の立ち上がり部とを固定してなる天井パネルの連結構造において、水平方向に突出した当止鍔片と切り欠き部とを有する断面コ字状の補強部材と、少なくとも２つの水平片部を有する略Ｚ字状の面段差解消部材とを備えており、前記補強部材をリブ状の立ち上がり部に被せて挟持し、当止鍔片に立ち上がり部の上部を当止させ、リブ状の立ち上がり部と補強部材と立ち上がり部とを係合部材で係合させ、面段差解消部材の一方の水平片部を補強部材に設けられた切り欠き部に嵌め、他方の水平片部に挿通された係合部材を前記ボスに係合させ、ボスが面段差解消部材の他方の水平片部に当接するまで係合部材を締め付けて、立ち上がり部を面段差解消部材の一方の水平片部に当接するまで上昇させたことを特徴とする天井パネルの連結構造である。
【００１１】
水平方向の寸法調整が実施された短尺パネルは、ボスを有していない。短尺パネルの縁に位置するリブ状の立ち上がり部に断面コ字状の補強部材を被せることにより、リブ状の立ち上がり部の厚みを増して補強できる。また、補強部材から突出した当止鍔片に立ち上がり部の上部を当止させることにより、天井パネルよりも短尺パネルを上方に位置させることができる。すなわち、面段差解消部材を短尺パネル側に固定しなければならない事態を回避できる。
【００１２】
補強部材に設けられた切り欠き部からは、リブ状の立ち上がり部を露出させることができる。すなわち、略Ｚ字状の面段差解消部材の一方の水平片部を補強部材に設けられた切り欠き部に嵌めるだけで、露出したリブ状の立ち上がり部に面段差解消部材の一方の水平片部を当接させることができる。この状態において、面段差解消部材の他方の水平片部を係合部材で天井パネルのボスに係合させることにより、リブ状の立ち上がり部と立ち上がり部との高さを揃えることが可能である。
【発明の効果】
【００１３】
本発明の天井パネルの連結構造によれば、寸法調整が実施された天井パネルを用いた場合にでも、天井パネル同士の面段差を容易に解消できる。
【図面の簡単な説明】
【００１４】
【図１】本発明の実施形態に係る天井パネルの連結構造で用いる補強部材を示す図であり、（ａ）は左側面から見た斜視図、（ｂ）は右側面から見た斜視図、（ｃ）は（ａ）のＡ−Ａ断面図である。
【図２】本発明の実施形態に係る天井パネルの連結構造を示す図であり、（ａ）はリブ状の立ち上がり部に補強部材を嵌めた状態、（ｂ）は立ち上がり部を補強部材の当止鍔片に当止させた状態、（ｃ）は面段差解消部材を補強部材の切り欠き部に嵌めた状態、（ｄ）は面段差解消部材をボスに係合させた状態である。
【図３】従来の住宅の天井パネルを示す図であり、（ａ）は天井から天井パネルが吊り下げられた状態、（ｂ）は天井パネル同士に面段差が生じた状態、（ｃ）は（ｂ）の面段差を面段差解消部材により解消した状態である。
【発明を実施するための形態】
【００１５】
以下では、本発明の天井パネルの連結構造の実施形態について、図面を参照しながら詳細に説明する。なお、以下の説明は、実施形態の理解を容易にするためのものであり、これによって、本発明が制限して理解されるべきではない。
【００１６】
図１（ａ），（ｂ）に示す補強部材１は、本発明の実施形態に係る天井パネルの連結構造で用いられる。補強部材１は、長尺状の金属部材である。補強部材１は、図１（ｃ）に示すように、断面視でコ字状である。補強部材１は、本体部２を有している。本体部２は、補強片３，４と、天板部５とを有している。
【００１７】
補強片３，４は、板状の部位である。補強片３，４は、対向配置されている。補強片３，４には、それぞれ貫通孔８，９が設けられている。貫通孔８，９は、平面視で重なる。
【００１８】
天板部５は、本体部２の天面を構成するものである。天板部５は、補強片３，４同士に跨って位置している。天板部５は、当止鍔片６と、切り欠き部７とを有している。
【００１９】
当止鍔片６は、鍔状の金属片である。当止鍔片６は、補強片４とは反対の方向へ補強片３から突出している。換言すれば、当止鍔片６は、補強片３の短手方向に直交している。当止鍔片６は、天板部５の一部を構成している。
【００２０】
切り欠き部７は、凹状の窪みである。切り欠き部７は、補強片３，４の一部と、天板部５の一部を切り欠いた形状を成している。すなわち、切り欠き部７は、補強片３，４および天板部５に跨っている。
【００２１】
図２（ａ）〜（ｄ）は、本実施形態の天井パネルの連結構造示す図である。
【００２２】
図２（ａ）は、短尺パネル２０のリブ状の立ち上がり部２１に、補強部材１を被せた状態である。短尺パネル２０は、寸法調整が実施された天井パネルである。リブ状の立ち上がり部２１は、短尺パネル２０の縁２４に露出している。リブ状の立ち上がり部２１は、補強片３，４で挟持されている。リブ状の立ち上がり部２１の上部２２は、天板部５に当接している。なお、リブ状の立ち上がり部２１には、貫通孔２３が設けられている。貫通孔２３は、平面視で貫通孔８，９と重なる。
【００２３】
図２（ｂ）は、天井パネル３０の立ち上がり部３１の上部３２を、補強部材１の当止鍔片６に当止させた状態である。立ち上がり部３１は補強片３に隣接している。立ち上がり部３１は、天井パネル３０の縁３６に立設している。この状態において、ネジ（係合部材）１５を、立ち上がり部３１に設けられた貫通孔３５と、貫通孔８と、貫通孔２３と、貫通孔９とに挿通する。その結果、立ち上がり部３１と、補強片３と、リブ状の立ち上がり部２１と、補強片４とは係合される。この時、短尺パネル２０と天井パネル３０とには面段差Ｘが生じる。すなわち、短尺パネル２０と天井パネル３０とは、面一ではない状態であり、面段差Ｘの分だけ天井パネル３０が短尺パネル２０よりも低くなっている。
【００２４】
なお、天井パネル３０は、ボス３３を有している。ボス３３は、縁３６よりも内側に設けられている。ボス３３は、ネジ穴３４を有している。
【００２５】
ここで、面段差解消部材４０について説明する。面段差解消部材４０は、リブ状の立ち上がり部２１と、立ち上がり部３１との面段差Ｘを解消するための金属部材である。面段差解消部材４０は、図２（ｂ）に示すように、略Ｚ字状である。面段差解消部材４０は、水平片部４１，４２と、垂直片部４３とを有している。水平片部４１，４２は平行に位置しており、垂直片部４３でつながっている。水平片部４１，４２と垂直片部４３とは直交する関係にある。水平片部４１，４２は、それぞれ貫通孔４４，４５を有している。貫通孔４４は、吊りボルト（天吊り金具）を挿通するための孔であり、吊りボルトにより支持されている。貫通孔４５は、面段差解消部材４０をボス３３が有するネジ穴３４に固定するための孔である。
【００２６】
図２（ｃ）は、面段差解消部材４０の水平片部４１を、補強部材１の切り欠き部７に嵌めた状態である。水平片部４１は、リブ状の立ち上がり部２１の上部２２に当接する。この状態において、ネジ（係合部材）１６を水平片部４２の貫通孔４５に挿通し、ボス３３のネジ穴３４に係合させる。
【００２７】
図２（ｄ）は、面段差解消部材４０の水平片部４１を、ネジ１６でボス３３に係合させた状態である。この状態において、立ち上がり部３１の上部３２と、リブ状の立ち上がり部２１の上部２２とは高さが揃っている。すなわち、短尺パネル２０と天井パネル３０とに生じていた面段差Ｘが解消されている。
【００２８】
図２（ｃ）から図２（ｄ）の状態へ移行する過程を詳述すると、低い方の天井パネル３０は、ネジ１６の締め付け力によって、ボス３３が水平片部４２に当接するまで上昇する。ボス３３の上昇に伴って、低い方の天井パネル３０の立ち上がり部３１も、水平片部４２に当接するまで上昇する。このようにして、立ち上がり部３１，リブ状の立ち上がり部２１同士の高さを揃えることにより、短尺パネル２０と天井パネル３０との面段差Ｘが解消される。
【００２９】
上記のように、寸法調整が実施された短尺パネル２０は、ボスを有していない。短尺パネル２０の縁２４に位置するリブ状の立ち上がり部２１に断面コ字状の補強部材１を被せることにより、リブ状の立ち上がり部２１の厚みを増して補強できる。また、補強部材１から突出した当止鍔片６に、天井パネル３０の立ち上がり部３１の上部３２を当止させることにより、天井パネル３０よりも短尺パネル２０を上方に位置させることができる。すなわち、面段差解消部材４０を短尺パネル２０側に固定しなければならない事態を回避できる。
【００３０】
補強部材１に設けられた切り欠き部７からは、リブ状の立ち上がり部２１を露出させることができる。すなわち、面段差解消部材４０の一方の水平片部４１を切り欠き部７に嵌めるだけで、露出したリブ状の立ち上がり部２１に水平片部４１を当接させることができる。この状態において、面段差解消部材４０の他方の水平片部４２を、ネジ１６で天井パネル３０のボス３３に係合させることにより、リブ状の立ち上がり部２１と立ち上がり部３１との高さを揃えることが可能である。
【００３１】
前述のように、本発明の実施形態に係る天井パネルの連結構造では、寸法調整が実施された天井パネル（短尺パネル２０）を用いた場合にでも、天井パネル同士（短尺パネル２０と天井パネル３０）の面段差を容易に解消できる。
【符号の説明】
【００３２】
１    補強部材
６    当止鍔片
７    切り欠き部
１５    ネジ（係合部材）
１６    ネジ（係合部材）
２０    短尺パネル
２１    リブ状の立ち上がり部
２４    縁
３０    天井パネル
３１    立ち上がり部
３２    上部
３３    ボス
３６    縁
４０    面段差解消部材
４１    水平片部
４２    水平片部
【図１】
0005418432.tif 000002
【図２】
0005418432.tif 000003
【図３】
0005418432.tif 000004